(57)【要約】【課題】円筒状容器自体には装飾性がないものが多く、円筒状容器に入れられたものを贈り物とする場合には、装飾効果を上げるために、円筒状容器の上からラッピングをする必要があった。しかし、このような場合には、包装に包装を重ねることになるため、コストがかかる上、ゴミも増えるという不具合があったのである。【解決手段】略矩形の硬質シート体２を円筒状に巻いて端部を係止し、開口側の両側を絞って閉じる構成の円筒状包装容器１であって、前記絞り部分１４に複数の孔１５・１５・・・を開口し、絞った状態で紐状部材４により閉じる構成とした。前記硬質シート２を透明シートもしくは半透明シートとし、前記絞り部１４に設ける孔１５・１５・・・を、円筒の軸心と平行な長楕円状または菱形状に構成した。【選択図】図１
0003106391.tif 000002
【実用新案登録請求の範囲】
【請求項１】
略矩形の硬質シート体を円筒状に巻いて端部を係止し、開口側の両側を絞って閉じる構成の円筒状包装容器であって、前記絞り部分に複数の孔を開口し、絞った状態で紐状部材により閉じることを特徴とする包装容器。
【請求項２】
前記硬質シートを透明シートもしくは半透明シートとしたことを特徴とする請求項１に記載の包装容器。
【請求項３】
前記絞り部に設ける孔を、円筒の軸心と平行な長楕円状または菱形状に構成したことを特徴とする請求項１乃至請求項２に記載の包装容器。
【考案の詳細な説明】
【技術分野】
【０００１】
本考案は、チョコレートやあめ等のお菓子を詰める円筒状の包装容器に関する。
【背景技術】
【０００２】
従来から、包装される物の形状や包装する目的に合わせて、様々な形態の包装容器が提供されており、円筒状に形成される包装容器は既に知られている。例えば、フィルムシートを合掌貼にして円筒状に形成し、しぼり封止した棒状食品包装容器（特許文献１参照。）や、柔らかい円筒状のベイカリイ製品の周胴部全体を円筒状に湾曲可能な硬質シート体で巻き回した後、全体的に軟質包装フィルムにより包装する方法（特許文献２参照。）等は既に公知である。
【特許文献１】特開２００１−４８２３２号公報
【特許文献２】特開平９−２５５０６２号公報
【考案の開示】
【考案が解決しようとする課題】
【０００３】
しかし、これらの包装用品は、中身を取り出し易くしたり、中身を保護するために機能的に構成されたものである。これらの包装用品に見られるように、円筒状包装用品自体には装飾性がないものが多く、贈り物とする場合には、円筒状包装用品の上からさらにラッピング用紙等を施す必要があった。しかし、このような場合には、包装に包装を重ねることになり、コストがかかる上、ゴミも増えるという不具合があったのである。
【課題を解決するための手段】
【０００４】
本考案の解決しようとする課題は以上の如くであり、次にこの課題を解決するための手段を説明する。
【０００５】
即ち、請求項１においては、略矩形の硬質シート体を円筒状に巻いて端部を係止し、開口側の両側を絞って閉じる構成の円筒状包装容器であって、前記絞り部分に複数の孔を開口し、絞った状態で紐状部材により閉じるものである。
【０００６】
請求項２においては、前記硬質シートを透明シートもしくは半透明シートとしたものである。
【０００７】
請求項３においては、前記絞り部に設ける孔を、円筒の軸心と平行な長楕円状または菱形状に構成したものである。
【考案の効果】
【０００８】
本考案の効果として、以下に示すような効果を奏する。
【０００９】
請求項１においては、装飾性があり係止部で簡単に開閉ができる円筒状包装容器を容易に形成することができる。そして両側を絞るときには、孔により小さく容易に絞ることができ、簡単に紐やリボン等で縛ることができ、絞り部分は皺等が発生せずにきれいに閉じることができる。
【００１０】
請求項２においては、詰められるお菓子の中身が見えるだけでなく、お菓子の外形をきれいに見せることができ、また、お菓子を一つ一つを包装紙で包んだ場合にもその包装紙の模様等を生かすことのできて、美しいスケルトンの包装容器を構成することができる。
【００１１】
請求項３においては、硬質のシートであっても、孔の長手方向中央部分を最も細く容易に絞ることができ、リボン等で縛った後には装飾性も有する。
【考案を実施するための最良の形態】
【００１２】
次に、考案の実施の形態を説明する。
図１は本考案の一実施例に係る包装容器の全体的な構成を示した斜視図、図２は硬質シート体を円筒状に巻き回した状態を示す図、図３は硬質シート体の平面図、図４は切り込みに差し込み片を差し込む前の状態を示す図、図５は切り込みに差し込み片を差し込んだ後の状態を示す図、図６は別実施形態の硬質シート体を示した平面図である。
【００１３】
本考案の実施例に係る包装容器１は、図１に示したように硬質シート体２を巻き回して端部を係止して形成した円筒状の容器であって、円筒両側の開口部３付近の絞り部１４を、紐状部材４を用いて縛り絞って閉じる構成である。
前記円筒の包装容器１を構成する硬質シート体２は、透明または半透明であるため、容器に詰められるチョコレートやあめやクッキー等のお菓子５・５・・は容器越しに透けて見えるようになっている。
【００１４】
図３に示した前記硬質シート体２は、略矩形状に形成されてその大きさは詰めるお菓子の大きさに合わせて適当な大きさのシート体を選択する。該硬質シート体２は例えばポリスチレンからなる合成樹脂製の平面状部材であり、手作業で丸めることによって円筒状に形成することができ、円筒状に形成した状態では詰めた中身のお菓子を保護して移動等で形を崩すようなことがなく、多少力を入れて湾曲させても、一定の形状を保持しようとする復元力を有する。例えば、ポリスチレンやポリエチレンテレフタレートからなるものである。
【００１５】
前記硬質シート体２は円筒状に巻いたときの外周の端部辺には、円筒係止機構を設けて端部が係止されて円筒形状が保持されるようにしている。
即ち、円筒係止機構は図３に示すように、硬質シート体２の巻いて重ねる側の端辺の一方側６には、差し込み片７・７・７・７が適宜間隔を空けて設けられており、本実施例では、両端と中央側に合計４つ設けている。硬質シート体２の他方側８には、前記差し込み片７・７・７・７の位置に合わせて切り込み９・９・９・９が設けられている。こうして硬質シート体２を円筒に巻き回した時に、端部の差し込み片７・７・７・７を切り込み９・９・９・９に挿入することで、端部が係止されて円筒状に形成できる。
【００１６】
図４に示したように、前記差し込み片７は略半円形で端辺６より突出され、該突出部の基部１０において、端辺に沿って両端１１・１１から直径の中心方向に向かって所定長さ切り込みを入れ、更に直角方向に屈曲した切り込みとして、Ｌ字状の切り込み１３・１３が設けられている。
そして、前記差し込み片７を差し込むための切り込み９は、他側の端辺８より所定距離内側に端辺と略平行に略ハット状に形成されている。つまり、両側に略クランク状の折れ曲がり部を有した切り込み９とし、該切り込み９の長さは、差し込み片の直径部分１０の長さより若干長く構成している。
【００１７】
このような構成において、硬質シート体２を巻いて切り込み９に差し込み片７を差し込むだけでは、硬質シート体２の弾性によって、切り込みから９から差し込み片７が抜けようとする。しかし、図５に示したように、差し込み片７の両端１１・１１がクランク状の折れ曲がり部分に引っかかり、差し込み片７が切り込み９より容易に抜けないように構成している。
【００１８】
なお、円筒係止機構は、以上のような構成に限定されず、例えば図６に示したように、硬質シート体１０２の長辺１０６・１０６の中途部に、斜め方向に切り込み１０９を入れることで形成することもできる。前記切り込み１０９は、互いに平行であり、硬質シート体１０２を円筒に巻き回した際に、切り込みの最も深い部分１０９ａ・１０９ａが互いに重なる位置に形成されている。このような構成において、一方の切込みによって形成される三角形の差し込み片１１０を、他方の切り込み１０９に挿入することで、硬質シート体１０２は端部が係止されて円筒形状が保持される。また、円筒係止機構を設けることなく、透明の粘着テープや接着剤で固定することも可能である。
【００１９】
そして、硬質シート体２を巻き回して形成した円筒の開口部３・３は、図１に示したように、その開口部３・３より所定距離中央側で紐状部材４・４により絞って閉じられる。
円筒絞り部１４の構成について説明する。絞り部１４は、円筒の開口部３・３近傍に、円周方向に並列に穿設された複数の孔１５・１５・・・によって形成されている。前記孔１５・１５・・・は、円筒の軸心と平行に長い長孔であり、本実施例では略ひし形状に形成されている。
【００２０】
そして、前記孔１５・１５・・・のそれぞれの中央部分を絞ることで硬質シート体２が弾性変形し、ひし形状の孔１５・１５・・・はスリット状に幅が狭くなり、図１に示したように絞り部１４は皺がよることなく絞られて、円筒の開口部３・３が閉じられる。
なお、本実施例においては、絞り部を形成する孔１５・１５・・・の形状をひし形状としたが、孔の形状はひし形状に限定されるものではなく、長方形や楕円形であってもよい。また、図面上下方向の切り込みを並列に入れるだけでも、硬質シート体２・２・・・が弾性変形し易くなるため、絞り部を形成することができる。
【００２１】
そして、絞り部１４を絞った状態で紐状部材４を外周から巻きつけて結ぶことで、円筒の開口部３は閉じた状態に保持される。このように包装容器１は、円筒の開口部３付近を絞って閉じる構成としたので、キャンディーを紙に包んで両端を絞ったような可愛らしい形状となる。なお、紐状部材４には針金に紙を巻きつけたものを使用することで、容易に絞った状態を保持でき、絞られた硬質シート体が元の形状に戻ろうとする力によって、紐状部材４が自然に解けてしまうことを防止できる。前記紐状部材４の針金に巻きつける紙は、色彩を施すことで包装容器の見た目を美しくすることができる。なお、紐状部材４は、針金に紙を巻きつけたものに限定するものではなく、木綿糸や革紐等であってもよい。
【００２２】
さらに、絞り部１４にリボン１６を取り付けることで、包装容器１の装飾性が高めることができる。なお、リボン１６の取り付け構成については、紐状部材４にリボン１６を取り付ける構成でも、紐状部材４で絞った絞り部１４の上から、リボン１６を取り付ける構成であってもよい。なお、紐状部材４とリボン１６を別々に設けなくとも、リボン１６のような装飾性の高い紐状部材４で、絞り部１４を絞ることもできる。
【００２３】
このようにして、本考案の包装容器１は、容器の上からラッピング用紙等を施さなくとも、美しく構成されるのである。
【００２４】
そして、該包装容器１からお菓子５・５・・を取り出す際には、包装容器１の絞り部１４の紐状部材４を取り外して絞り部１４を開放することで容易に取り出すことができる。なお、絞り部１４・１４を両方とも開放し、差し込み片７を切り込み９から取り外すことで、円筒状のシートを平面状に戻し、一度にたくさん中身を取り出すことも可能である。そして、このように包装容器１を開放した場合であっても、差し込み片７を切り込み９に差し込み、絞り部１４を紐状部材４で絞ることで、容易に元の形状に戻すことができる。すなわち包装容器１は、解体や組立が容易な構成となっている。
【００２５】
なお、本実施例においては、円筒の開口部３・３両方を絞って閉じる構成としたが、開口部の一方側のみを絞って閉じる構成とし、他方側は蓋部材等で閉じる構成としてもよい。
【図面の簡単な説明】
【００２６】
【図１】本考案の一実施例に係る包装容器の全体的な構成を示した斜視図。
【図２】硬質シート体を円筒状に巻き回した状態を示す図。
【図３】硬質シート体の平面図。
【図４】切り込みに差し込み片を差し込む前の状態を示す図。
【図５】切り込みに差し込み片を差し込んだ後の状態を示す図。
【図６】別実施形態の硬質シート体を示した平面図。
【符号の説明】
【００２７】
１    包装容器
２    硬質シート体
３    開口部
４    紐状部材
１４  絞り部
１５  孔
【図１】
0003106391.tif 000003
【図２】
0003106391.tif 000004
【図３】
0003106391.tif 000005
【図４】
0003106391.tif 000006
【図５】
0003106391.tif 000007
【図６】
0003106391.tif 000008